(57)【特許請求の範囲】
【請求項１】
汚れた空気を排気するファンを備えた本体と、前記本体に内蔵されこの本体の下面を照らす複数のＬＥＤ照明と、この本体と対になって使用される調理器具からの信号を受信する受光部と、前記ファンおよび前記ＬＥＤ照明を制御する制御手段を備え、前記調理器具には、備え付けられた複数のコンロの使用を検出する調理検出手段と、天面に前記ＬＥＤ照明の照度を検知する照度センサを備え、前記調理器具からの信号を前記受光部が受信し、前記制御手段は、前記調理検出手段の検出結果により、前記コンロのうち調理を行っているコンロに対応する場所の前記ＬＥＤ照明を連動動作させるとともに、前記照度センサが一定の照度を検知するように前記ＬＥＤ照明の照度を変更することを特徴とするレンジフード。
【発明の詳細な説明】
【技術分野】
【０００１】
本発明は、照明を有するレンジフードに関する。
【背景技術】
【０００２】
今日、キッチンにて調理をする際に手元を照らすための照明は、レンジフードに内蔵されることが多くなっている。また、使用される照明としては、白熱球、蛍光灯などが一般的に用いられている。このため、レンジフードに内蔵される照明の寿命時に取替えが可能なように、照明の光の透過部であるガラスなどが取替え時に取り外し可能なように、ねじ等でレンジフードに取り付ける構造になっている（例えば、特許文献１参照）。
【先行技術文献】
【特許文献】
【０００３】
【特許文献１】特開２００５−６１７６８号公報
【発明の概要】
【発明が解決しようとする課題】
【０００４】
このような従来のレンジフードでは、照明の光の透過部であるガラスの接合面または取り付けねじ部分の突起部に、調理による油が溜まり易く、油たれの原因となり、またねじ部分が突起しているため掃除が困難であった。また、白熱球、蛍光灯などは固有の照度・色温度でしか使用できないため、キッチンの他インテリアの照明と照度・色温度が異なる場合、キッチンの照明に統一感を出せないという課題があった。
【０００５】
本発明は、上記課題を解決するもので、油たれを抑制すると共に掃除が容易であり、またキッチンの他インテリアと統一感のあるレンジフードを提供することを目的とする。
【課題を解決するための手段】
【０００６】
上記課題を解決するために本発明のレンジフードは、汚れた空気を排気するファンを備えた本体と、前記本体に内蔵されこの本体の下面を照らす複数のＬＥＤ照明と、この本体と対になって使用される調理器具からの信号を受信する受光部と、前記ファンおよび前記ＬＥＤ照明を制御する制御手段を備え、前記調理器具には、備え付けられた複数のコンロの使用を検出する調理検出手段と、天面に前記ＬＥＤ照明の照度を検知する照度センサを備え、前記調理器具からの信号を前記受光部が受信し、前記制御手段は、前記調理検出手段の検出結果により、前記コンロのうち調理を行っているコンロに対応する場所の前記ＬＥＤ照明を連動動作させるとともに、前記照度センサが一定の照度を検知するように前記ＬＥＤ照明の照度を変更することを特徴とする。
【発明の効果】
【０００７】
以上のように本発明のレンジフードによれば、油たれを抑制すると共に掃除が容易であり、またキッチンの他インテリアと統一感を出すとともに、調理時にＬＥＤ照明をつける作業を省くことができ、管理することなく最適な照度の元で調理作業をすることができることを目的とする。
【図面の簡単な説明】
【０００８】
【図１】本発明の実施の形態１のレンジフードの構成を示す斜視図
【図２】同レンジフードの制御系を示すブロック図
【図３】同レンジフードと対になって使用される調理器具の断面図
【図４】同レンジフードのＬＥＤ照明の構成を示す本体前面の断面図
【図５】同レンジフードのＬＥＤ照明の構成を示す斜視図
【図６】同レンジフードのＬＥＤ照明の構成を示す側面図
【図７】同レンジフードのＬＥＤ照明に透過部を備えた本体前面の断面図
【図８】同レンジフードのＬＥＤ照明に透過部を全面に備えた本体前面の断面図
【図９】同レンジフードのＬＥＤ照明の構成を示す本体側面の断面図
【図１０】同レンジフードのＬＥＤ照明の回路構成示す図
【図１１】同レンジフードのマイコンポートの出力を示すタイムチャート
【図１２】同レンジフードのＬＥＤ照明の照度を操作手段で高くする動作を示すフローチャート
【図１３】同レンジフードのＬＥＤ照明の照度を操作手段で低くする動作を示すフローチャート
【図１４】同レンジフードのＬＥＤ照明の照度を自動で高くする動作を示すフローチャート
【図１５】同レンジフードのＬＥＤ照明に複数個のＬＥＤを用いた構成を示す斜視図
【図１６】同レンジフードのＬＥＤ照明の色温度を操作手段で高くする動作を示すフローチャート
【図１７】同レンジフードのＬＥＤ照明の色温度を操作手段で低くする動作を示すフローチャート
【図１８】同レンジフードのＬＥＤ照明を調理器具のコンロ数用いた構成を示す斜視図
【図１９】同レンジフードのＬＥＤ照明を調理器具のコンロに連動させる動作を示すフローチャート
【図２０】同レンジフードのＬＥＤ照明を調理器具のコンロに連動させるために調理検出手段より送信される識別信号のタイムチャート
【発明を実施するための形態】
【０００９】
請求項１記載のレンジフードの発明は、汚れた空気を排気するファンを備えた本体と、前記本体に内蔵されこの本体の下面を照らす複数のＬＥＤ照明と、この本体と対になって使用される調理器具からの信号を受信する受光部と、前記ファンおよび前記ＬＥＤ照明を制御する制御手段を備え、前記調理器具には、備え付けられた複数のコンロの使用を検出する調理検出手段と、天面に前記ＬＥＤ照明の照度を検知する照度センサを備え、前記調理器具からの信号を前記受光部が受信し、前記制御手段は、前記調理検出手段の検出結果により、前記コンロのうち調理を行っているコンロに対応する場所の前記ＬＥＤ照明を連動動作させるとともに、前記照度センサが一定の照度を検知するように前記ＬＥＤ照明の照度を変更することを特徴とするものであり、調理時にＬＥＤ照明をつける作業を省くことができる。
【００１０】
また、管理することなく最適な照度の元で調理作業をすることができ、特に、調理を行っている場所のみ前記ＬＥＤ照明を動作させることもできるものであるので、消費電力の節約をすることができる。
【００１１】
以下、本発明の実施形態について図を参照しながら説明する。
【００１２】
（実施の形態１）
図１〜３に示すように、本発明のレンジフードは、調理器具の上に汚れた空気を整流板１の開口部より排気口２へ排気するファン３を備えた本体４を配置し、本体４の下面には調理作業時に手元を照らすＬＥＤ照明５を備え、本体４の前面には操作手段６を備えており、ファン３、ＬＥＤ照明５および操作手段６はリード線７によって制御手段８に接続されている。また、レンジフードと対になって使用される調理器具９の天面１０には、ＬＥＤ照明５の汚れ検出手段１１および調理検出手段１２が備えられ、本体４の下面には汚れ検出手段１１および調理検出手段１２の検出結果を受信する受光部１３が備えられている。
【００１３】
図４は本体４の前面から見たＬＥＤ照明５の構成である。図４において、ＬＥＤ照明５は本体４に内蔵されており、ＬＥＤ照明５の下面と本体の下面は同平面で構成されている。ＬＥＤ照明５は白熱球や蛍光灯を使用した場合に比べて長寿命であり、レンジフードの照明に用いて使用する場合は、約１０年程度は交換不要で使用することが期待できる。そのため、照明を取り替えるためのガラス窓やそれを本体４にねじ止めする機構が本体４の表面に不要となり、最も調理による油汚れがひどい本体４の下面を平面にすることができる。これにより、突起部に生じ易い油たれを抑制することができ、また拭き掃除などを行うときにも平面であるため掃除し易い構成となる。また、ＬＥＤ照明５を用いることで、照明を小型化することができるため、本体４の下面の整流板１を広く取ることで汚れた空気の捕集能力を向上させることができ、また本体４の小型化が可能である。
【００１４】
図５および図６はＬＥＤ照明５に放熱板１４を備えた例である。図５または図６において、放熱板１４はアルミ、銅、ステンレスなど熱伝導率の高い材質からなり、ＬＥＤ照明５からの熱を放熱することでＬＥＤ１５の寿命を延ばすことができる。ＬＥＤ１５の寿命が長いということは、照度・色温度の劣化をゆるやかにすることができ、より長期間一定の照度・色温度で照明することができる。ここで、色温度とは発熱して発光する物体からの光の色合いを表す量であり、色温度が低いと黄色の色合いに、高いと白色の色合いとなる。また、ＬＥＤ照明５自体に放熱板１４を備えユニット化することで、構造が簡単になるため部品の管理が容易となる。さらなる放熱効率の向上方法としては、ＬＥＤ照明５を本体４に直接接続する方法が考えられる。これは、本体４を板金で構成し、本体４全体を大きな放熱板１４とすることで方熱効率を向上でき、ＬＥＤ照明５のさらなる長寿命化が可能となる。また、ＬＥＤ照明５の内部側面に反射部１６を設け、さらにレンズ１７を備えることで、ＬＥＤ１５から発する広がりを持った光を反射部１６で収集して、さらにレンズ１７である程度照らす範囲を広げることで、調理作業中に暗さを感じないような照度を得ることができる。反射部１６の材質としては、反射率の高いアルミ、樹脂などが考えられる。またレンズ１７の材質としては、透過率が高く加工しやすいアクリル、ガラスなどが考えられる。
【００１５】
図７はＬＥＤ照明５に透過部１８を備えた例である。図７において、透過部１８はアクリル、ガラスなど透過率が高く加工しやすい材質の他、擦りガラスなど少しぼかした照明が可能な材質からなり、形状としては丸、多角形などが考えられる。また、透過部１８に色味を持たせても良い。このように透過部１８の材質・形状・色味を種々に変更することができるため、同じＬＥＤ照明５を用いても照らし方を変えることができ、照明としてのバリエーションを持たせることが可能となる。また、ＬＥＤ照明５の照らす範囲を広くするために透過部１８をレンズで構成しても良い。さらに図８に示すように、全面に透過部１８を備えても良い。全面を透過部１８にすることにより、本体４の下面をより平面で構成することができるため掃除がさらに容易となり、また、板金で構成される本体４にアクセントをつけることでデザイン性の向上が可能である。図９は本体４を側面から見た場合であり、ＬＥＤ照明５を本体４の前方に設置し、レンジフードが設置される壁側となる奥方向に向けてななめ構造にすると良い。こうすることで、奥から前方を照らした場合と比較して、調理作業中に感じる照明の眩しさを軽減することが可能である。
【００１６】
図１０は、ＬＥＤ照明５の回路構成の一例である。図１０において、制御手段８に内蔵されるマイクロコンピュータ１９（以下、マイコン１９）のポート２０から０Ｖが出力されるとトランジスタ２１が動作し、抵抗２２に流れる電流によりＬＥＤ１５が点灯する。ポート２０から出力される電圧が図１１（ａ）のように連続で０Ｖを出力する（デューティ比０）と照度が高くなり、図１１（ｂ）のようにデューティ比を大きくすることで照度を低くすることができる。このように照度を変更することが可能であるため、キッチンの他インテリアの照明と照度と合わせることができ、キッチンの照明に統一感を出すことが能であり、また調理作業者が快適な照度で調理作業を行える。図１２および図１３を用いて、照度の変更方法の一例を説明する。操作手段６として、照度変更ボタンが備えられ、例えば照度（＋）ボタンを押すとマイコン１９がデューティ比を０．０５減少することで照度が高くなり、照度（−）ボタンを押すとマイコン１９がデューティ比を０．０５増加することで照度が低くなるようにすれば良い。また、照度ボタンによりデューティ比をこれ以上変更できない場合は、本体４に備えた報知手段２３により、これ以上変更できないことを報知すると良い。報知方法としては、ＬＥＤ照明５を点滅させる、ブザー音を「ピィ、ピィ」と鳴らす、スピーカによる音声ガイドで「これ以上の変更はできません」と報知するなどの方法が考えられる。この他、各種モードボタンを備えて照度を変更しても良い。例えば、夜に消費電力を抑えた照度の低い常夜灯モードになるボタン、他には間接照明やパーティなどの演出モードなどのボタンを設けて、押されたボタンよりマイコン１９が各モードの照度となるようデューティ比を変更する方法が考えられる。
【００１７】
図１４を用いて、照度の変更方法の他の例を説明する。汚れ検出手段１１として照度センサを調理器具９の天面１０に備え、照度センサが一定の照度を検知するようマイコン１９がデューティ比を変更する。これにより、ＬＥＤ照明５が油で汚れてきて照度が低くなってきても、マイコン１９が照度を高くすることで、一定の照度の元で調理作業をすることができる。また、デューティ比が０となりこれ以上照度を高くできない時は、マイコン１９がＬＥＤ照明５が油で汚れすぎていると判断して、報知手段２３によりＬＥＤ照明５の掃除を促すことができる。報知手段２３としては、ＬＥＤ、ブザー、スピーカなどが考えられる。ＬＥＤによる報知方法には、掃除時期になると点灯、もしくは点滅することで早期に掃除時期であることを認識できるようにすると良い。また、ブザー音としては「ピィ、ピィ、ピィ」、スピーカによる音声ガイドとしては「照明が汚れています、掃除をして下さい」などを、ＬＥＤ照明５点灯時の数秒間だけ鳴らすと良い。また、照度センサの別の利用方法として、他照明が切られているなど一定の照度以下になったときに、マイコン１９によりデューティ比が変更され、常夜灯モードなどに照度が自動に変更することが可能である。
【００１８】
図１５は、１つのＬＥＤ照明５の中に複数個のＬＥＤ１５を備えた例である。図１５において、２つの色温度の異なるＬＥＤ１５を備え、例えば一方の色温度を約２５００Ｋ、他方を約８０００Ｋのものを利用し、それぞれのデューティ比を変更することで、合成されたＬＥＤ照明５の色温度を約２５００〜８０００Ｋの間で変更することができる。これにより、ＬＥＤ照明５の照度の変更と合わせて、人間が快適に感じる快適範囲でＬＥＤ照明５を使用することができる。また、レンジフードの色、艶や周囲のインテリアに合わせて照度・色温度を変更しても良く、その他、夏場には清涼感のある高い色温度を用い、冬場には逆に温かみのある低い色温度を用いることで季節感を演出することもできる。さらに、これら照度・色温度の設定をマイコン１９に内蔵されているか、または接続されている不揮発メモリに記憶することで、停電などによりマイコン１９がリセットしたときでも、以前に設定した照度・色温度でＬＥＤ照明５を使用することができる。
【００１９】
図１６および図１７を用いて、色温度の変更方法の一例を説明する。操作手段６として色温度変更ボタンが備えられ、例えば色温度（＋）ボタンを押すとマイコン１９が、色温度が約２５００ＫのＬＥＤ１５のデューティ比を０．０５増加させると共に約８０００ＫのＬＥＤ１５のデューティ比を０．０５減少させることで色温度を高くできる。また、照度（−）ボタンを押すとマイコン１９が、色温度が約２５００ＫのＬＥＤ１５のデューティ比を０．０５減少させると共に約８０００ＫのＬＥＤ１５のデューティ比を０．０５増加させることで色温度を低くすることが可能である。
【００２０】
次に図１〜３において、調理検出手段１２と受光部１３を用いて、調理器具９のコンロ２４の使用に連動させてＬＥＤ照明５を点灯させる方法について説明する。コンロ２４の使用状況を調理器具９に備えられた制御手段２５に内蔵されるマイコン２６が監視しており、コンロ２４が使用されているとマイコン２６が判断した場合は、調理検出手段１２としての赤外ＬＥＤから受光部１３へ赤外線信号を送信する。ここで、調理器具９の制御手段２５には、コンロ２４を動作させるスイッチがあり、スイッチの操作よりマイコン２６はコンロ２４の使用状況を判断することができる。受光部１３で信号を検知すると本体４に内蔵されるマイコン１９が調理作業が開始されたと判断し、ＬＥＤ照明５を点灯させる。これにより、調理の際にわざわざ操作手段６で照明をつけなくても自動で点灯させることができ、油で汚れていることが多い操作手段６に触れることがないので、手が油で汚れることによる不快感を抑制することが可能である。
【００２１】
図１８はＬＥＤ照明５を調理器具９に備えられたコンロ２４の数だけ用意した例である。図１９のフローチャートを用いて、コンロ２４と連動して適所のＬＥＤ照明５を点灯させる方法について説明する。コンロ２４の使用状況を調理器具９に備えられた制御手段２５に内蔵されるマイコン２６が監視しており、コンロ２４が使用されているとマイコン２６が判断した場合は、調理検出手段１２としての赤外ＬＥＤから受光部１３へ赤外線信号を送信する。ここで、調理器具９の制御手段２５には、各コンロ２４を動作させる各スイッチがあり、スイッチの操作よりマイコン２６はどのコンロ２４が使用されているか判断し、図２０に示すように各コンロ２４に対応した信号を送信する。受光部１３で信号を検知すると本体４に内蔵されるマイコン１９がどのコンロ２４で調理作業が開始されたか判断し、現在調理作業をしているコンロ２４周辺を照らすＬＥＤ照明５を点灯させる。これにより、必要なＬＥＤ照明５のみ点灯させることができるため、消費電力を低減することが可能である。
【産業上の利用可能性】
【００２２】
本発明にかかるレンジフードは、油たれが少なく掃除を容易にすることができるものであり、一般家庭や業務用のキッチンなどに利用されるレンジフードに有用である。
【符号の説明】
【００２３】
３    ファン
４    本体
５    ＬＥＤ照明
６    操作手段
８    制御手段
１１  汚れ検出手段
１２  調理検出手段
１４  放熱板
１７  レンズ
１８  透過部
２３  報知手段
【図１】
0005151016.tif 000002
【図２】
0005151016.tif 000003
【図３】
0005151016.tif 000004
【図４】
0005151016.tif 000005
【図５】
0005151016.tif 000006
【図６】
0005151016.tif 000007
【図７】
0005151016.tif 000008
【図８】
0005151016.tif 000009
【図９】
0005151016.tif 000010
【図１０】
0005151016.tif 000011
【図１１】
0005151016.tif 000012
【図１２】
0005151016.tif 000013
【図１３】
0005151016.tif 000014
【図１４】
0005151016.tif 000015
【図１５】
0005151016.tif 000016
【図１６】
0005151016.tif 000017
【図１７】
0005151016.tif 000018
【図１８】
0005151016.tif 000019
【図１９】
0005151016.tif 000020
【図２０】
0005151016.tif 000021